(57)【要約】      （修正有）【課題】二枚の容器形成部片を用いて、立体的な容器組立てが頗る簡単に実施出来、且つ資材そのものの反発性を応用して、全体的に丸味を滞びた外観を具備しながら、確実に安定した強固な包装用容器となり、且つ容器を持ち運ぶ際には、提手の部位を保持することで、強靭化された包装用容器となって、不安無く所持することが可能でこの容器を更に包む包装資材は不要となる包装用容器を提供する。【解決手段】二枚の長形の容器形成部片を十字状に交叉させ、組立ててなる包装用容器であって、一方の容器形成部片は長手方向に沿って、底面の両側には舌片を突設すると共に、両側壁の中央には、端縁寄りの部位より底面の方向に、適当長さのスリットを切設し、他方の容器形成部片は、長手方向と直交する底面の両側に、前記舌片と係脱自在の切込みを設け、両側壁の端縁寄りには、互いの端縁寄り部分を当接することで提手となる切込みを設け、該切込みを介して起立した提手に順次スリットを挿通して組立てる。【選択図】図１
0003104213.tif 000002
【実用新案登録請求の範囲】
【請求項１】
二枚の長形の容器形成部片（Ａ、Ｂ）を十字状に交叉させ、組立ててなる包装用容器（Ｃ）であって、一方の容器形成部片（Ａ）は長手方向に沿って、底面（１）の両側には舌片（４、４ａ）を突設すると共に、両側壁（２、３）の中央には、端縁寄りの部位より底面（１）の方向に、適当長さのスリット（５、５ａ）を切設し、他方の容器形成部片（Ｂ）は、長手方向と直交する底面（１ａ）の両側に、前記舌片（４、４ａ）と係脱自在の切込み（８、８ａ）を設け、両側壁（２ａ、３ａ）の端縁寄りには、互いの端縁寄り部分を当接することで提手（６、６ａ）となる切込み（７、７ａ）を設け、該切込み（７、７ａ）を介して起立した提手（６、６ａ）に順次スリット（５、５ａ）を挿通して組立てた包装用容器。
【請求項２】
一方の容器形成部片（Ａ）の両側壁（２、３）は、長手方向両側縁より端縁に向って順次狭まって、三角状の外観に形成されている請求項１記載の包装用容器。
【請求項３】
他方の容器形成部片（Ｂ）の両側壁（２ａ、３ａ）は、長手方向両側縁より端縁に向って順次狭まって、半円状の切込み（７、７ａ）を介して半円状の提手（６、６ａ）となるように形成されている請求項１記載の包装用容器。
【請求項４】
他方の容器形成部片（Ｂ）の両側壁（２ａ、３ａ）の外縁に接する、半円状の提手（６、６ａ）の外縁末端部は、両側壁（２ａ、３ａ）の外縁に比し、膨出した段差部（10、10ａ、11、11ａ）に形成されている請求項１または３記載の包装用容器。
【考案の詳細な説明】
【技術分野】
【０００１】
この考案は、二枚の容器形成部片を用いて、これを一組として組立てて、所望物品を収納する立体的な方形状を呈する包装用容器に関する。
【背景技術】
【０００２】
従来より一枚のボール紙やその他の厚紙に、多数の折畳線を刻設して、その折畳線に沿って組立てることで、一個の立体的な外観を備えた包装用容器を製出し、斯かる容器内へ、主としてケーキ類等の洋菓子、或いはまんじゅう等の和菓子、その他所望の物品を収納して供する包装用容器は周知されているが、このような在来の包装用容器に於いては、折畳線に沿って一定の方向へ折曲して、立体的な包装用容器に組立てるものであるため、その組立てが頗る煩雑であるばかりか、一枚の厚紙等に予め多数本の折畳線を刻設する必要が生じ、甚だしい不便さがあった。例えば、特開２００１−１８９４８号公報には、箱本体と取っ手とを分離して、必要に応じて取っ手のみのデザインを変更することが出来、リサイクルも容易で、ケーキの出し入れも容易とするために、箱本体と取っ手とよりなるケーキ箱であって、箱本体は四角筒の対向する開口を塞ぎ開口の下辺から延出する蓋と、蓋の上辺に連なり、支持孔を刻設した支持面とよりなり、取っ手は両側に引っ掛け片を突設し、把持孔を穿設した把持面と、把持面の下辺に連なる当接面とよりなり、箱本体の開口を蓋で塞ぎ、蓋の上辺に連なる支持面を起立させ、取っ手の当接面を箱本体の上面に当接させると共に引っ掛け片を支持孔に差し込んでケーキ箱とした発明も開示されているが、方形状の箱形に折畳めるように一枚の段ボール等に折畳線を多数本刻設し、順次それ等の折畳線に沿って折込んで箱本体を形成するもので、折畳みが煩雑で、瞬時にして立体的な容器へ組立てることが出来ないものであり、また取っ手も別体で以って構成されているので、本考案のように一瞬にして組立て上がる利便性はないものである。
【特許文献１】特開２００１−１８９４８号公報
【考案の開示】
【考案が解決しようとする課題】
【０００３】
然るにこの考案が茲に開発した包装用容器にあっては、既述従来の欠陥に鑑みて鋭意研究の結果に開発されたものであって、折畳線そのものを最小限とした二枚の容器形成部片を用いて、この互いの容器形成部片を交叉させて組合わせ、立体的な外観を呈する包装用容器に組立てるものであって、斯かる立体的な組立てが頗る簡単に実施出来、且つ資材そのものの反発性を応用して、全体的に丸味を滞びた外観を具備しながら、確実に安定した強固な包装用容器となり、且つ容器を持ち運ぶ際には、提手の部位を保持することで、強靭化された包装用容器となって、不安無く所持することが可能な包装用容器で、該容器を更に包む包装資材は不要となる包装用容器を提供することを目的とする。
【課題を解決するための手段】
【０００４】
上記した目的を有効に達成するがために、本考案になる包装用容器にあっては、二枚の長形の容器形成部片Ａ、Ｂを十字状に交叉させ、組立ててなる包装用容器Ｃであって、一方の容器形成部片Ａは長手方向に沿って、底面１の両側には舌片４、４ａを突設すると共に、両側壁２、３の中央には、端縁寄りの部位より底面１の方向に、適当長さのスリット５、５ａを切設し、他方の容器形成部片Ｂは、長手方向と直交する底面１ａの両側に、前記舌片４、４ａと係脱自在の切込み８、８ａを設け、両側壁２ａ、３ａの端縁寄りには、互いの端縁寄り部分を当接することで提手６、６ａとなる切込み７、７ａを設け、該切込み７、７ａを介して起立した提手６、６ａに順次スリット５、５ａを挿通して組立てた包装用容器を特徴としており、また一方の容器形成部片Ａの両側壁２、３は、長手方向両側縁より端縁に向って順次狭まって、三角状の外観に形成されている包装用容器を特徴としており、また他方の容器形成部片Ｂの両側壁２ａ、３ａは、長手方向両側縁より端縁に向って順次狭まって、半円状の切込み７、７ａを介して半円状の提手６、６ａとなるように形成されている包装用容器を特徴としており、また他方の容器形成部片Ｂの両側壁２ａ、３ａの外縁に接する、半円状の提手６、６ａの外縁末端部は、両側壁２ａ、３ａの外縁に比し、膨出した段差部10、10ａ、11、11ａに形成されている包装用容器を特徴とするものである。
【考案の効果】
【０００５】
本考案によれば、二枚の容器形成部片を用いて、立体的な容器組立てが頗る簡単に実施出来、且つ資材そのものの反発性を応用して、全体的に丸味を滞びた外観を具備しながら、確実に安定した強固な包装用容器となり、且つ容器を持ち運ぶ際には、提手の部位を保持することで、強靭化された包装用容器となって、不安無く所持することが可能な包装用容器で、該容器を更に包む包装資材は不要となる包装用容器となる。
【実施例】
【０００６】
次いでこの考案による包装用容器に関する実施の一例について詳述する。
【０００７】
図１に示されるものは、本考案による組立てられて完成した包装用容器Ｃであって、この包装用容器Ｃは、適宜厚紙、ボール紙その他これと同効の資材より成る二枚の長形の容器形成部片Ａ、Ｂを十字状に交叉させた後、これを組立てた立体的外観を備えたものであり、容器形成部片Ａ、Ｂは同一色或いは異色に配色することで包装用容器Ｃとしての付加価値向上が図れる。
【０００８】
一方の容器形成部片Ａに於いては、中央の底面１の長手方向両側に沿って、略台形状の舌片４、４ａを突設し、該底面１の左右両側壁２、３の中央には、端縁寄りの部位より底面１の方向へ向う、適当長さを持つスリット５、５ａを切設している。図３によると一方の容器形成部片Ａの両側壁２、３は、長手方向両側縁より端縁に向って、徐々に狭まった三角状の外観となるように構成されている。
【０００９】
他方の容器形成部片Ｂは、長手方向と直交する底面１ａ部分の両側に、前述の舌片４、４ａと係脱自在とする切込み８、８ａを設け、両側壁２ａ、３ａの端縁寄りには、互いの端縁寄り部分を重ね合わせて当接することで、提手６、６ａとなる切込み７、７ａを設け、この切込み７、７ａを介して起立せしめた提手６、６ａに順次スリット５、５ａを挿通して立体的な包装用容器となるが、図４に於いては、他方の容器形成部片Ｂの両側縁２ａ、３ａは、長手方向両側縁より端縁に向って徐々に狭まって、半円状に切込まれた切込み７、７ａを介して、半円状の提手６、６ａが形成される。
【００１０】
図１に示されるように一方の容器形成部片Ａの両側壁２、３は三角状に切欠されることで、包装用容器へ組立てた際には美麗で斬新さが出現し、また起立した提手６、６ａに一方の容器形成部片Ａのスリット５、５ａが互い違いに挿入されるので、内部に所望物品を収納し、容器に組立てた際には、組立てが外れる虞れも無く、且つ持ち運び等の移動性に優れ、更に内部の所望物品を取り出す際には簡単に全開放可能な容器となり、取出し容易となる。
【００１１】
他方の容器形成部片Ｂの両側壁２ａ、３ａの外縁に接する、半円状の提手６、６ａの外縁末端部は、前記両側壁２ａ、３ａの外縁に比較して、段差部10、10ａ、11、11ａとなるように膨出させており、即ち提手６、６ａの外縁末端部に切込みを形成したものであって、これにより折曲線９、９ａを介して起立した提手６、６ａにスリット５、５ａを挿通した場合、スリット５、５ａの端縁寄りが段差部10、10ａ、11、11ａに引掛り 、自然な状態ではスリット５、５ａが外れる懸念はない。
【図面の簡単な説明】
【００１２】
【図１】組立てた包装用容器の全体斜視図である。
【図２】容器形成部片を十字状に交叉させた平面図である。
【図３】一方の容器形成部片の平面図である。
【図４】他方の容器形成部片の平面図である。
【符号の説明】
【００１３】
１      底面
１ａ    底面
２      側壁
２ａ    側壁
３      側壁
３ａ    側壁
４      舌片
４ａ    舌片
５      スリット
５ａ    スリット
６      提手
６ａ    提手
７      切込み
７ａ    切込み
８      切込み
８ａ    切込み
９      折曲線
９ａ    折曲線
10      段差部
10ａ    段差部
11      段差部
11ａ    段差部
Ａ      一方の容器形成部片
Ｂ      他方の容器形成部片
Ｃ      包装用容器
【図１】
0003104213.tif 000003
【図２】
0003104213.tif 000004
【図３】
0003104213.tif 000005
【図４】
0003104213.tif 000006